【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
生理学的パラメータセンサからの信号を解析し、生理学的データ値、プロット及びアラームを提示する信号プロセッサと、
前記生理学的データ値及び前記プロットを、患者モニタシステムのユーザに表示するディスプレイと、
前記信号プロセッサに接続され、少なくともアラーム発生を解析し、前記アラーム発生を減少させるためのそのまま実施可能なアドバイスを提供するアドバイザエンジンと、
を含む患者モニタシステムであって、
前記アラーム発生を減少させるためのそのまま実施可能なアドバイスは、
心拍数上限、
心拍数下限、
呼吸速度上限、
呼吸速度下限、
ＳｐＯ２上限、及び
ＳｐＯ２下限
のうちの少なくとも１つを調整することを含み、
前記アドバイザエンジンは更に、
ユーザインタラクションを検知し、
前記そのまま実施可能なアドバイスが邪魔にならないように表示されるように、検知された前記ユーザインタラクションに基づいて、前記そのまま実施可能なアドバイスの表示を遅らせる、患者モニタシステム。
【請求項２】
前記そのまま実施可能なアドバイスは、前記患者モニタシステムの現在の状況、現在の患者及び現在のモード設定に特有である特定の行動又は調整を提案し、
前記そのまま実施可能なアドバイスを邪魔にならないように表示することは、前記ユーザが前記そのまま実施可能なアドバイスを要求することなく、前記そのまま実施可能なアドバイスを表示することを含む、請求項１に記載の患者モニタシステム。
【請求項３】
前記アドバイザエンジン、前記信号プロセッサ及び前記ディスプレイに接続され、前記生理学的データ値及び前記プロットと、前記アドバイザエンジンからの前記そのまま実施可能なアドバイスとを表示するように前記ディスプレイを駆動するディスプレイドライバを更に含む、請求項１に記載の患者モニタシステム。
【請求項４】
前記アドバイザエンジンは更に、
アラームが発生し、一時停止又は消音された頻度又はパターンを、予め選択されたアラーム標準又はルールと比較する、請求項１に記載の患者モニタシステム。
【請求項５】
前記アドバイザエンジンは更に、
ユーザインタラクションを検知し、
予め選択された最適使用標準及び／又は共通準最適使用パターンに対して、検知された前記ユーザインタラクションを解析し、
検知された前記ユーザインタラクションが、予め選択された前記最適使用標準を下回ること、又は、準最適使用パターンを示すことに反応して、前記患者モニタシステムの使用を向上させるためのアドバイスをディスプレイデバイス上に表示する、請求項１に記載の患者モニタシステム。
【請求項６】
前記アドバイザエンジンは更に、
システム又は生理学的センサの故障を示すアラームを受信し、
前記故障を解決するやり方についての特定の指示を生成し、表示する、請求項１に記載の患者モニタシステム。
【請求項７】
前記ディスプレイ上での表示のためのテキスト形式の前記そのまま実施可能なアドバイスと、
前記そのまま実施可能なアドバイスを実施するやり方を説明する図と、
前記アドバイスが与えられた理由についての説明と、
の少なくとも１つの記憶するアドバイスメモリを更に含む、請求項１に記載の患者モニタシステム。
【請求項８】
患者モニタリング方法であって、
信号プロセッサを用いて、生理学的パラメータセンサからの信号を解析し、生理学的データ値、プロット及びアラームを提示するステップと、
１つ以上のプロセッサを用いて、少なくともアラーム発生を解析し、前記アラーム発生を減少させるためにそのまま実施可能なアドバイスを生成するステップであって、前記アラーム発生を減少させるためにそのまま実施可能なアドバイスは、
心拍数上限、
心拍数下限、
呼吸速度上限、
呼吸速度下限、
ＳｐＯ２上限、及び
ＳｐＯ２下限
のうちの少なくとも１つを調整することを含む、ステップと、
ディスプレイデバイス上に、前記生理学的データ値及び前記プロットを表示し、ユーザに、前記そのまま実施可能なアドバイスを邪魔にならないように表示するステップと、
患者モニタシステムとのユーザインタラクションを検知するステップと、
検知された前記ユーザインタラクションに基づいて、前記そのまま実施可能なアドバイスの表示を遅らせ、これにより前記ユーザが前記アドバイスをそのまま実施することを可能にするステップと、
を含む、方法。
【請求項９】
前記そのまま実施可能なアドバイスは、患者をモニタリングする患者モニタリングシステムの現在の状況、現在の患者及び現在のモード設定に特有である特定の行動又は調整を提案する、請求項８に記載の方法。
【請求項１０】
邪魔にならないように表示される前記そのまま実施可能なアドバイスは、前記ユーザが前記そのまま実施可能なアドバイスを要求することなく、前記ユーザに表示される、請求項８に記載の方法。
【請求項１１】
前記アラーム発生を解析するステップは、
アラームが発生し、一時停止又は消音された頻度又はパターンを、予め選択されたアラーム発生標準又はルールと比較するステップを含む、請求項８に記載の方法。
【請求項１２】
ユーザインタラクションを検知するステップと、
予め選択された最適及び／又は準最適使用標準若しくはパターンに対して、検知された前記ユーザインタラクションを解析するステップと、
検知された前記ユーザインタラクションが、前記最適使用標準若しくはパターンを下回ること、又は、前記準最適使用標準若しくはパターンを示すことに反応して、使用を向上させるアドバイスを生成するステップと、
を更に含む、請求項８に記載の方法。
【請求項１３】
システム又は生理学的センサの故障を示すアラームを受信するステップと、
前記故障を解決する方法についての特定の指示、及び／又は、前記そのまま実施可能なアドバイスを実施するやり方を説明する図の形式の前記そのまま実施可能なアドバイスを生成するステップと、
を更に含む、請求項８に記載の方法。
【請求項１４】
請求項８に記載の方法を実行する１つ以上のプロセッサを制御する命令を担持する、非一時的コンピュータ可読媒体。
【請求項１５】
前記アラーム発生を減少させるためのそのまま実施可能なアドバイスは、
心拍数上限、及び
心拍数下限
のうちの少なくとも１つを調整することを含む、請求項１に記載の患者モニタシステム。
【請求項１６】
前記アラーム発生を減少させるためのそのまま実施可能なアドバイスは、
呼吸速度上限、及び
呼吸速度下限
のうちの少なくとも１つを調整することを含む、請求項１に記載の患者モニタシステム。
【請求項１７】
前記アラーム発生を減少させるためのそのまま実施可能なアドバイスは、
ＳｐＯ２上限、及び
ＳｐＯ２下限
のうちの少なくとも１つを調整することを含む、請求項１に記載の患者モニタシステム。
【請求項１８】
前記アドバイザエンジンは更に、前記ユーザがアラームを消音するときにアラーム限界を調整するためのアドバイスを表示する、請求項１に記載の患者モニタシステム。
【請求項１９】
生理学的パラメータセンサからの信号を解析し、生理学的データ値を提示し、
ディスプレイデバイス上に、前記生理学的データ値を患者モニタシステムのユーザに表示し、
少なくともアラーム発生を解析し、前記アラーム発生を減少させるためのそのまま実施可能なアドバイスを提供し、前記アラーム発生を減少させるためのそのまま実施可能なアドバイスは、
心拍数上限、
心拍数下限、
呼吸速度上限、
呼吸速度下限、
ＳｐＯ２上限、及び
ＳｐＯ２下限
のうちの少なくとも１つを調整することを含み、
ユーザインタラクションを決定し、
決定された前記ユーザインタラクションに基づいて、前記そのまま実施可能なアドバイスの表示を遅らせる、
１つ以上のプロセッサを含む、患者モニタシステム。